(57)【要約】【課題】幅及び厚さの大きい第１カードと幅及び厚さの小さい第２カードとの幅の大きさに基づいてカードの挿入経路を切り換える切換機構を部品点数が少なく、しかも簡単な構成で提供できる、低背かつコンパクトなカードコネクタを提供する。【解決手段】カードコネクタ１００における切換機構４０は、シーソー状に上下方向に揺動可能なガイドプレート４１と、ガイドプレート４１のカード挿入方向奥側を下方向に向けて押圧し、ガイドプレート４１のカード挿入方向手前側を上方位置に位置させる押圧部材６１と、ハウジング２０に内外方向に変位可能に取付けられ、ガイドプレート４１のカード挿入方向手前側の上方に位置する押圧部４２ｄを有するガイドスプリング４２とで構成されている。【選択図】      図３
2007157656.tif 000002
【特許請求の範囲】
【請求項１】
第１カードと、幅及び厚さが前記第１カードの幅及び厚さよりも小さい第２カードの、いずれかを適宜選択して受容可能なカード挿入口を有するハウジングと、該ハウジングに取付けられ、前記第１カードに設けられた導電パッドに接触する第１コンタクトと、前記ハウジングに取付けられ、前記第２カードに設けられた導電パッドに接触する第２コンタクトと、前記第１及び第２カードの幅の大きさに基づいて前記第１カードの挿入経路と前記第２カードの挿入経路とを切り換える切換機構とを具備し、
前記切換機構が、シーソー状に上下方向に揺動可能なガイドプレートと、該ガイドプレートのカード挿入方向奥側を下方向に向けて押圧し、前記ガイドプレートのカード挿入方向手前側を上方位置に位置させる押圧部材と、前記ハウジングに内外方向に変位可能に取付けられ、前記ガイドプレートのカード挿入方向手前側の上方に位置する押圧部を有するガイドスプリングとで構成され、
前記第１カードが前記カード挿入口に挿入されるときには、前記第１カードの幅方向側縁が前記ガイドスプリングの押圧部を外方向に変位させて前記押圧部により前記ガイドプレートのカード挿入方向手前側を下方向に付勢して前記ガイドプレートのカード挿入方向手前側を下方位置まで下げ、これにより、前記第１カードの挿入経路が前記ガイドプレートの上側に形成されて前記第１カードが前記第１カードの挿入経路に挿入されるようになっており、
前記第２カードが前記カード挿入口に挿入されるときには、前記ガイドプレートのカード挿入方向手前側が前記上方位置に位置した状態で、前記第２カードの挿入経路が前記ガイドプレートの下側に形成されて前記第２カードが前記第２カードの挿入経路に挿入されることを特徴とするカードコネクタ。
【請求項２】
前記第１カードが前記カード挿入口に挿入されるときには、前記第１カードが前記押圧部材を押し上げて前記押圧部材による前記ガイドプレートのカード挿入方向奥側の下方向への押圧状態を解除するようになっていることを特徴とする請求項１記載のカードコネクタ。
【請求項３】
前記押圧部材が、前記ハウジング上を覆う金属シェルと一体的に形成されていることを特徴とする請求項１又は２記載のカードコネクタ。
【請求項４】
前記第２カードが前記カード挿入口に挿入されるときに内側面で前記第２カードの幅方向の動きを規制して前記第２カードの前記挿入経路への挿入を案内すると共に、前記第１カードが前記カード挿入口に挿入されるときに上面で前記第１カードの下方向への動きを規制して前記第１カードの前記挿入経路への挿入を案内する、カード挿入方向に延びる１対の突起部を前記ハウジングに設けたことを特徴とする請求項１乃至３のうちいずれか一項に記載のカードコネクタ。
【請求項５】
前記第２カードに接触する前記第２コンタクトの接触部が前記ハウジングのカード挿入方向略中央部に位置するように、前記第２コンタクトが前記ハウジングに取り付けられ、前記ガイドプレートが、前記第２コンタクトの接触部を覆う位置に設けられていることを特徴とする請求項１乃至４のうちいずれか一項に記載のカードコネクタ。
【請求項６】
前記１対の突起部の各々に、前記第１カードが前記カード挿入口に挿入されるときに前記第１カードを前記１対の突起部の各々の上面上に導く傾斜面を設けたことを特徴とする請求項４記載のカードコネクタ。
【請求項７】
前記ガイドプレートに、前記第２カードが前記カード挿入口に挿入されるときに前記第２カードを前記ガイドプレートの下側へ導く傾斜部を設けたことを特徴とする請求項１乃至６のうちいずれか一項に記載のカードコネクタ。
【請求項８】
前記切換機構は、前記第２カードが前記カード挿入口に挿入されるときに前記第２カードを前記ガイドプレートの下側へ導く案内部材を有することを特徴とする請求項１乃至７のうちいずれか一項に記載のカードコネクタ。
【請求項９】
前記案内部材が、前記ハウジング上を覆う金属シェルと一体的に形成されていることを特徴とする請求項８記載のカードコネクタ。
【発明の詳細な説明】
【技術分野】
【０００１】
本発明は、携帯電話機、電話機、ＰＤＡ(personal digital assistance) 、携帯型オーディオ、ゲーム機、カメラ等や情報端末機器等の電子機器のカードコネクタ、特に、幅及び厚さの異なる２種類のカードを使用できるカードコネクタに関する。
【背景技術】
【０００２】
近年、携帯電話機、電話機、ＰＤＡ(personal digital assistance) 、携帯型オーディオ、ゲーム機、カメラ等や情報端末機器等の電子機器においては、ＣＰＵやメモリ用のＩＣチップと呼ばれるＩＣ部品が組み込まれたＩＣカードやＰＣカード、ＳＤカード、ＳＩＭカード等の利用が非常に増大し、ＩＣカードやＰＣカード、ＳＤカードやＳＩＭカード等の小型のメモリカードを挿入するためのカードコネクタが広く求められている。特に、カードコネクタとして、低背化と小型化を図り、カードの挿入と抜き出しに必要な十分な強度を有し、挿入されたカードを容易に抜去でき、幅、厚さ及び長さの異なる２種類のカードを使用できるカードコネクタが求められている。
【０００３】
そして、特に幅及び厚さの異なる２種類のカードを同一のカードコネクタに挿入して使用する際に、カードに何らの細工を施すことなく、シャッターやアクチュエータのような部材や、ラッチアーム等の部材を切換え作動して２種類のカードに適合できるカードコネクタとして、従来、例えば、図２６乃至図３０に示すもの（特許文献１参照）が知られている。図２６は、従来のカードコネクタの斜視図である。図２７は、アクチュエータが最も内側に向けて回動した内側回動状態にあると共に、シャッタ部材が前側に向けて回動し倒立した前側回動状態にある、図２６に示すカードコネクタからカバー部材を取り外した状態の斜視図である。図２８は、アクチュエータが最も外側に向けて回動した外側回動状態にあると共に、シャッタ部材が後側に向けて回動し転倒した後側回動状態にある、図２６に示すカードコネクタからカバー部材を取り外した状態の斜視図である。図２９は、幅及び厚さの小さい第２カードを挿入した状態にある、図２６に示すカードコネクタからカバー部材を取り外した状態の斜視図である。図３０は、幅及び厚さの大きい第１カードを挿入した状態にある、図２６に示すカードコネクタからカバー部材を取り外した状態の斜視図である。
【０００４】
図２６乃至図３０に示すカードコネクタ１０１は、ハウジング１１０と、ハウジング１１０に１列状に取付けられた複数のコンタクト１２０と、ハウジング１１０に装着されたカバー部材１３０とを備えている。
ハウジング１１０には、カバー部材１３０が装着されることにより一方向に開いたカード挿入口１１１が形成される。
【０００５】
そして、ハウジング１１０のカード挿入口１１１の両側には、幅及び厚さの大きい第１カードＡと幅及び厚さの小さい第２カードＢとの幅の大きさに基づいて第１カードＡの挿入経路と第２カードＢの挿入経路とを切り換える切換機構１４０が設けられている。
この切換機構１４０は、カード挿入口１１１の両側に配置され、支軸１４３を中心に内外方向に回動可能に設けられた１対のアクチュエータ部材１４１と、各アクチュエータ部材１４１を内側に向けて付勢する１対の板ばね１４５と、１対のアクチュエータ部材１４１間に配置され、支軸１４４ｂを中心に前後方向（図２７乃至図３０において第１カードＡ、第２カードＢが挿入される手前側を前側、奥側を後側とする）に回動可能に設けられたシャッタ部材１４４とを具備している。
【０００６】
各アクチュエータ部材１４１は、図２７及び図２８に示すように、略鉤形状に形成されて、支軸１４３を中心に内外方向に回動可能に設けられている。そして、各アクチュエータ部材１４１の前端部にはテーパ状のカム面１４１ｂが形成されると共に、後端部には内側に突出するラッチ部１４４ａが設けられている。また、ハウジング１１０の、各アクチュエータ部材１４１の内側に位置する部分には、板ばね１４５により内側に向けて付勢された各アクチュエータ部材１４１の内側への移動を規制するストッパ１４２が立設されている。
【０００７】
また、シャッタ部材１４４は、図２７及び図２８に示すように、ハウジング１１０の幅方向に亘って延びる本体部の両端に突出部を設けた板状体で構成され、支軸１４４ｂを中心に前後方向に回動可能に設けられている。そして、シャッタ部材１４４の両端の突出部には、カム面１４４ａが形成されている。このシャッタ部材１４４は、図２７に示すように、アクチュエータ１４１が最も内側に向けて回動した内側回動状態にあるときに、前側に向けて回動し倒立した前側回動状態にあり、両端に設けた突出部がアクチュエータ部材１４１のラッチ部１４１ａに当接してシャッタ部材１４４の後側に向けての回動が規制されるようになっている。また、図２８に示すように、アクチュエータ部材１４１が最も外側に向けて回動した外側回動状態にあるときには、アクチュエータ部材１４１のラッチ部１４１ａの、シャッタ部材１４４の突出部に対する当接状態が解除され、シャッタ部材１４４は後側に向けて回動可能となるのである。
【０００８】
このように構成されたカードコネクタ１に、第１カードＡと、前記第１カードＡよりも幅及び厚さの小さい第２カードＢのうち、いずれかが挿入される。ここで、第２カードＢは、１対のアクチュエータ１４１が最も内側に向けて回動した内側回動状態にあるときの１対のアクチュエータ１４１のカム面１４１ｂの間隔に等しい幅を有している。また、第１カードＡは、第２カードＢに対して幅及び厚さが大きく、長さも長い。第１カードＡの幅は、１対のアクチュエータ１４１が最も内側に向けて回動した内側回動状態にあるときの１対のアクチュエータ１４１間の幅よりも大きい。
【０００９】
第２カードＢを、図２７に示すように、カードコネクタ１のカード挿入口１１１から図２７における矢印方向に挿入すると、第２カードＢは、１対のアクチュエータ１４１が最も内側に向けて回動した内側回動状態にあるときの１対のアクチュエータ１４１間の幅に等しい幅を有していることから、アクチュエータ１１４に当たることはない。そして、第２カードＢは、シャッタ部材１４４の両端の突出部間かつシャッタ部材１４４の本体部上を通り、その先端がハウジング１１０の端壁に当接して所定位置に位置される。この状態で、第２カードＢの下面に設けられたパッド部がコンタクト１２０に接触することになる。
【００１０】
一方、第１カードＡを、図２８に示すように、カードコネクタ１のカード挿入口１１１から図２８における矢印方向に挿入すると、第１カードＡの幅は、１対のアクチュエータ１４１が最も内側に向けて回動した内側回動状態にあるときの１対のアクチュエータ１４１間の幅よりも大きいことから、第１カードＡの先端の角部がアクチュエータ部材１４１のカム面１４１ｂを押す。すると、アクチュエータ部材１４１は、支軸１４３を中心に外方向に回動し、ラッチ部１４１ａのシャッタ部材１４４の突出部に対する当接状態が解除される。続いて、第１カードＡの先端の角部が、シャッタ部材１４４の突出部のカム面１４４ａに当たって押し、これによりシャッタ部材１４４が後方に回動して転倒し、シャッタ部材１４４上を第２カードＢが通過して、第１カードＡの先端がハウジング１１０の端壁に当接して所定位置に位置される。この状態で、第１カードＡの下面に設けられたパッド部がコンタクト１２０に接触することになるのである。
【００１１】
このように、図２６乃至図３０に示すカードコネクタ１０１においては、カードに何らの細工を施すことなく、幅及び厚さの異なる２種類のカードの一方を同一のカードコネクタに挿入して使用することができる。なお、第１カードＡと第２カードＢとの双方を同時にカードコネクタ１０１（の挿入口）に挿入することはできない。
【特許文献１】特開２００４−１９３１１１号公報
【発明の開示】
【発明が解決しようとする課題】
【００１２】
しかしながら、この従来のカードコネクタ１０１にあっては、以下の問題点があった。
即ち、幅及び厚さの大きい第１カードＡと幅及び厚さの小さい第２カードＢとの幅の大きさに基づいて第１カードＡの挿入経路と第２カードＢの挿入経路とを切り換える切換機構１４０を構成する部材として、１対のアクチュエータ部材１４１、１対の板ばね１４５及びシャッタ部材１４４を必要とし、部品点数が多く、しかも機構が複雑であるため、故障し易い。また、製造も困難で、製造コストも嵩むという問題点があった。
従って、本発明はこの問題点に鑑みてなされたものであり、その目的は、幅及び厚さの大きい第１カードと幅及び厚さの小さい第２カードとの幅の大きさに基づいてカードの挿入経路を切り換える切換機構を部品点数が少なく、しかも簡単な構成で提供できる、低背かつコンパクトなカードコネクタを提供することにある。
【課題を解決するための手段】
【００１３】
上記問題を解決するため、本発明のうち請求項１に係るカードコネクタは、第１カードと、幅及び厚さが前記第１カードの幅及び厚さよりも小さい第２カードの、いずれかを適宜選択して受容可能なカード挿入口を有するハウジングと、該ハウジングに取付けられ、前記第１カードに設けられた導電パッドに接触する第１コンタクトと、前記ハウジングに取付けられ、前記第２カードに設けられた導電パッドに接触する第２コンタクトと、前記第１及び第２カードの幅の大きさに基づいて前記第１カードの挿入経路と前記第２カードの挿入経路とを切り換える切換機構とを具備し、前記切換機構が、シーソー状に上下方向に揺動可能なガイドプレートと、該ガイドプレートのカード挿入方向奥側を下方向に向けて押圧し、前記ガイドプレートのカード挿入方向手前側を上方位置に位置させる押圧部材と、前記ハウジングに内外方向に変位可能に取付けられ、前記ガイドプレートのカード挿入方向手前側の上方に位置する押圧部を有するガイドスプリングとで構成され、前記第１カードが前記カード挿入口に挿入されるときには、前記第１カードの幅方向側縁が前記ガイドスプリングの押圧部を外方向に変位させて前記押圧部により前記ガイドプレートのカード挿入方向手前側を下方向に付勢して前記ガイドプレートのカード挿入方向手前側を下方位置まで下げ、これにより、前記第１カードの挿入経路が前記ガイドプレートの上側に形成されて前記第１カードが前記第１カードの挿入経路に挿入されるようになっており、前記第２カードが前記カード挿入口に挿入されるときには、前記ガイドプレートのカード挿入方向手前側が前記上方位置に位置した状態で、前記第２カードの挿入経路が前記ガイドプレートの下側に形成されて前記第２カードが前記第２カードの挿入経路に挿入されることを特徴としている。
【００１４】
本発明のうち請求項２に係るカードコネクタは、請求項１記載のカードコネクタにおいて、前記第１カードが前記カード挿入口に挿入されるときには、前記第１カードが前記押圧部材を押し上げて前記押圧部材による前記ガイドプレートのカード挿入方向奥側の下方向への押圧状態を解除するようになっていることを特徴としている。
本発明のうち請求項３に係るカードコネクタは、請求項１又は２記載のカードコネクタにおいて、前記押圧部材が、前記ハウジング上を覆う金属シェルと一体的に形成されていることを特徴としている。
【００１５】
本発明のうち請求項４に係るカードコネクタは、請求項１乃至３のうちいずれか一項に記載のカードコネクタにおいて、前記第２カードが前記カード挿入口に挿入されるときに内側面で前記第２カードの幅方向の動きを規制して前記第２カードの前記挿入経路への挿入を案内すると共に、前記第１カードが前記カード挿入口に挿入されるときに上面で前記第１カードの下方向への動きを規制して前記第１カードの前記挿入経路への挿入を案内する、カード挿入方向に延びる１対の突起部を前記ハウジングに設けたことを特徴としている。
【００１６】
本発明のうち請求項５に係るカードコネクタは、請求項１乃至４のうちいずれか一項に記載のカードコネクタにおいて、前記第２カードに接触する前記第２コンタクトの接触部が前記ハウジングのカード挿入方向略中央部に位置するように、前記第２コンタクトが前記ハウジングに取り付けられ、前記ガイドプレートが、前記第２コンタクトの接触部を覆う位置に設けられていることを特徴としている。
【００１７】
本発明のうち請求項６に係るカードコネクタは、請求項４記載のカードコネクタにおいて、前記１対の突起部の各々に、前記第１カードが前記カード挿入口に挿入されるときに前記第１カードを前記１対の突起部の各々の上面上に導く傾斜面を設けたことを特徴としている。
本発明のうち請求項７に係るカードコネクタは、請求項１乃至６のうちいずれか一項に記載のカードコネクタにおいて、前記ガイドプレートに、前記第２カードが前記カード挿入口に挿入されるときに前記第２カードを前記ガイドプレートの下側へ導く傾斜部を設けたことを特徴としている。
【００１８】
本発明のうち請求項８に係るカードコネクタは、請求項１乃至７のうちいずれか一項に記載のカードコネクタにおいて、前記切換機構は、前記第２カードが前記カード挿入口に挿入されるときに前記第２カードを前記ガイドプレートの下側へ導く案内部材を有することを特徴としている。
本発明のうち請求項９に係るカードコネクタは、請求項８記載のカードコネクタにおいて、前記案内部材が、前記ハウジング上を覆う金属シェルと一体的に形成されていることを特徴としている。
【発明の効果】
【００１９】
本発明のうち請求項１に係るカードコネクタによれば、幅及び厚さの大きい第１カードと幅及び厚さの小さい第２カードとの幅の大きさに基づいてカードの挿入経路を切り換える切換機構を部品点数が少なく、しかも簡単な構成で提供できる、低背かつコンパクトなカードコネクタを提供することができる。このため、切換機構が故障し難く、また、製造も容易で、製造コストも安価なカードコネクタを提供することができる。
【００２０】
また、本発明のうち請求項２に係るカードコネクタによれば、ガイドスプリングの押圧部によるガイドプレートのカード挿入方向手前側の下方向への付勢を容易に行うことができる。
更に、本発明のうち請求項３に係るカードコネクタによれば、部品点数をより少なくすることができる。
また、本発明のうち請求項４に係るカードコネクタによれば、第２カードがカード挿入口に挿入されるときに、１対の突起部の内側面により第２カードの幅方向の動きを規制しつつ第２カードの挿入経路への案内をすることができる。また、第１カードがカード挿入口に挿入されるときに、１対の突起部の上面により第１カードの下方向への動きを規制しつつ第１カードの挿入経路への挿入を案内することができる。
【００２１】
また、本発明のうち請求項５に係るカードコネクタによれば、ガイドプレートにより第２コンタクトの接触部を保護することができる。
また、本発明のうち請求項６に係るカードコネクタによれば、第１カードがカード挿入口に挿入されるときに、第１カードがやや下方側に挿入されたとしても、第１カードが傾斜面により確実に突起部の上面上に導かれ、第１カードの挿入経路へ確実に挿入することができる。
【００２２】
更に、本発明のうち請求項７に係るカードコネクタによれば、第２カードがやや上方側に挿入されたとしても、第２カードがガイドプレートに設けた傾斜部によりガイドプレートの下側へ導かれ、第２カードの挿入経路へ確実に挿入することができる。
また、本発明のうち請求項８に係るカードコネクタによれば、第２カードがやや上方側に挿入されたとしても、第２カードが案内部材によりガイドプレートの下側へ導かれ、第２カードの挿入経路へ確実に挿入することができる。
更に、本発明のうち請求項９に係るカードコネクタによれば、案内部材を形成するための部品点数を少なくすることができる。
【発明を実施するための最良の形態】
【００２３】
次に本発明の実施形態を図面を参照して説明する。図１は、本発明に係るカードコネクタの第１実施形態の斜視図である。図２は、図１に示すカードコネクタの正面図である。図３は、金属シェルをコネクタ本体と分離した状態のカードコネクタの第１実施形態の斜視図である。図４は、第１カードを挿入する途中のカードコネクタの第１実施形態を示し、（Ａ）は斜視図、（Ｂ）は正面図である。但し、図４においては金属シェルは図示していない。図５は、第２カードを挿入する途中のカードコネクタの第１実施形態を示し、（Ａ）は斜視図、（Ｂ）は正面図である。但し、図５においては金属シェルは図示していない。図６は、カード未挿入状態の図１のカードコネクタを示し、（Ａ）は概略平面図、（Ｂ）は概略断面図である。
【００２４】
図１乃至図５において、カードコネクタ１００は、幅、厚さ及び長さが大きい第１カードＡと幅、厚さ及び長さが第１カードＡの幅、厚さ及び長さよりも小さい第２カードＢの、いずれかが適宜選択されて挿入されるように構成され、コネクタ本体１０と、コネクタ本体１０を覆う金属シェル６０とを具備している。
コネクタ本体１０は、図３に示すように、ハウジング２０と、複数の第１コンタクト３１及び第２コンタクト３２と、切換機構４０と、カードエジェクト機構５０とを具備している。
【００２５】
ハウジング２０は、絶縁性の樹脂を成形することによって略矩形形状に形成され、図３、図４（Ａ）及び図５（Ａ）に示すように、カード挿入方向の奥側に位置する端壁２０ａ及びハウジング２０の幅方向両端に位置する左右側壁２０ｂ、２０ｃを残して上側及び手前側を開放した形で形成されている。ハウジング２０は、カード挿入方向奥側に設けられたコンタクト取付基部２１と、カード挿入方向手前側に設けられたカード挿入口２２とを備えている。カード挿入口２２には、幅、厚さ及び長さが大きい第１カードＡと幅、厚さ及び長さが第１カードＡの幅、厚さ及び長さよりも小さい第２カードＢの、いずれかが適宜選択されて受容可能となっている。
【００２６】
また、複数の第１コンタクト３１は、図３、図４（Ａ）及び図５（Ａ）に示すように、ハウジング２０の端壁２０ａにこの端壁２０ａの幅方向に沿って１列状に取付けられている。各第１コンタクト３１は、金属板を打ち抜き及び曲げ加工することによって形成され、図６（Ａ）、（Ｂ）に示すように、端壁２０ａに取付けられる取付部３１ａと、取付部３１ａからカード挿入方向手前側に延びる接触部３１ｂと、取付部３１ａからハウジング外に延びる基板接続部３１ｃとを備えている。接触部３１ｂには、第１カードＡの下面に設けられた導電パッド（図示せず）がその上方から接触し、接触部３１ｂは下方に向けて弾性変形するようになっている。基板接続部３１ｃは、図示しない回路基板上に半田接続されるようになっている。
【００２７】
また、複数の第２コンタクト３２は、図３に示すように、ハウジング２０のコンタクト取付基部２１にこのコンタクト取付基部２１の幅方向に沿って１列状に取付けられている。各第２コンタクト３２は、金属板を打ち抜き及び曲げ加工することによって形成され、図６（Ａ）、（Ｂ）に示すように、コンタクト取付基部２１に取付けられる取付部３２ａと、取付部３２ａからカード挿入方向手前側に延びる接触部３２ｂと、取付部３２ａからハウジング外に延びる基板接続部３２ｃとを備えている。接触部３２ｂは、ハウジング１０のカード挿入方向略中央部に位置している。そして、接触部３２ｂには、第２カードＢの下面に設けられた導電パッド（図示せず）がその上方から接触し、接触部３２ｂは下方に向けて弾性変形するようになっている。基板接続部３２ｃは、図示しない回路基板上に半田接続されるようになっている。
【００２８】
更に、切換機構４０は、第１カードＡ及び第２カードＢの幅の大きさに基づいて第１カードＡの挿入経路と第２カードＢの挿入経路とを切り換えるようになっている。この切換機構４０は、図３、図４（Ａ）、図５（Ａ）及び図６に示すように、シーソー状に上下方向に揺動可能なガイドプレート４１と、ガイドプレート４１のカード挿入方向奥側を下方向に向けて押圧し、ガイドプレート４１のカード挿入方向手前側を上方位置に位置させる、金属シェル６０に設けられたばね片（押圧部材）６１と、ハウジング２０に内外方向に変位可能に取付けられ、ガイドプレート４１のカード挿入方向手前側の上方に位置する押圧部４２ｄを有するガイドスプリング４２とで構成されている。
【００２９】
ガイドプレート４１は、金属板を打ち抜き及び曲げ加工することによって形成され、図３、図４（Ａ）、図５（Ａ）及び図６に示すように、ハウジング２０の幅方向に延びる略矩形形状板で構成されている。このガイドプレート４１は、ハウジング２０の底壁のカード挿入方向略中央部に突出形成された、頂点をほぼ円弧状に形成した突起部２３の頂点上を中心としてシーソー状に上下方向に揺動可能となっている。ガイドプレート４１は、図６（Ａ）に示すように、第２コンタクト３２の接触部３２ｂを覆う位置に設けられ、接触部３２ｂが接触するのを回避するための複数の開口４１ａが設けられている。ガイドプレート４１は第２コンタクト３２の接触部３２ｂを覆う位置に設けられているので、第２コンタクト３２の接触部３２ｂを保護することができる。また、ガイドプレート４１の右側縁には、ハウジング２０に設けられた突起部２３よりもややカード挿入方向手前側の位置に、図３、図４（Ａ）、図５（Ａ）及び図６に示すように、外方向に進行するにつれて漸次立ち上がるように傾斜する傾斜面を有する隆起部４１ｃが設けられている。
【００３０】
そして、ガイドスプリング４２は、金属板を打ち抜き及び曲げ加工することによって形成され、図３、図４（Ａ）、図５（Ａ）及び図６（Ａ）に示すように、ハウジング２０の右側壁２０ｃに固定されている。ガイドスプリング４２は、図６（Ａ）に示すように、ハウジング２０の右側壁２０ｃに固定される固定部４２ａと、固定部４２ａからハウジング２０の内方へ頂点が突出するように延びる湾曲部４２ｂと、湾曲部４２ｂからカード挿入方向奥側へ延びる延出部４２ｃと、延出部４２ｃからハウジング２０の内方へガイドプレート４１のカード挿入方向手前側の上方に位置するように延びる押圧部４２ｄとを備えている。ガイドスプリング４２は、ハウジング２０の右側壁２０ｃに固定された固定部４２ａを固定端として内外方向に変位するようになっている。
【００３１】
ここで、第１カードＡが、図４に示すように、カード挿入口２２に挿入されるときには、先ず、第１カードＡがばね片６１を押し上げてばね片６１によるガイドプレート４１のカード挿入方向奥側の下方向への押圧状態を解除する。このため、後に行われるガイドスプリング４２の押圧部４２ｄによるガイドプレート４１のカード挿入方向手前側の下方向への付勢を容易に行うことができる。そして、第１カードＡの幅方向側縁がガイドスプリング４２の湾曲部４２ｂを外方向へ押圧し、ガイドスプリング４２の延出部４２ｃ及び押圧部４２ｄが外方向に変位する。すると、ガイドスプリング４２の押圧部４２ｄがガイドプレート４１の右側縁に形成された隆起部４１ｃの傾斜面上を摺動しつつ隆起部４１ｃ上に乗り上げ、これによりガイドプレート４１のカード挿入方向手前側が下方向に付勢されてガイドプレート４１のカード挿入方向手前側が下方位置まで下げられる。これにより、第１カードＡの挿入経路がガイドプレート４１の上側に形成されて第１カードＡが第１カードＡの挿入経路に挿入されるようになっている。
【００３２】
一方、第２カードＢが、図５に示すように、カード挿入口２２に挿入されるときには、ばね片６１によるガイドプレート４１のカード挿入方向奥側の下方向への押圧状態は解除されない。そして、ガイドプレート４１のカード挿入方向手前側が前記上方位置に位置した状態で、第２カードＢの挿入経路がガイドプレート４１の下側に形成されて第２カードＢが第２カードＢの挿入経路に挿入されるようになっている。第２カードＢの幅は、第１カードＡの幅よりも小さく、第２カードＢの幅方向側縁がガイドスプリング４２の湾曲部４２ｂを外方向へ押圧しない。
【００３３】
このように、本実施形態にあっては、第１カードＡ及び第２カードＢの幅の違いに基づいて第１カードＡの挿入経路と第２カードＢの挿入経路とを切り換える切換機構４０をガイドプレート４１、ばね片（押圧部材）６１及びガイドスプリング４２で構成し、部品点数が少なく、しかも簡単な構成で提供できる、低背かつコンパクトなカードコネクタ１００を提供することができる。
そして、ばね片（押圧部材）６１が金属シェル６０と一体的に設けられているので、部品点数をより少なくすることができる。
【００３４】
なお、ハウジング２０のカード挿入口２２の底壁には、図４及び図５に示すように、第２カードＢがカード挿入口２２に挿入されるときに内側面で第２カードＢの幅方向の動きを規制して第２カードＢの挿入経路への挿入を案内すると共に、第１カードＡがカード挿入口２２に挿入されるときに上面で第１カードＡの下方向への動きを規制して第１カードＡの挿入経路への挿入を案内する１対の突起部２５が設けられている。各突起部２５は、矩形断面を有してカード挿入方向に延びている。このため、第２カードＢがカード挿入口２２に挿入されるときに、１対の突起部２５の内側面により第２カードＢの幅方向の動きを規制しつつ第２カードＢの挿入経路への案内をすることができる。また、第１カードＡがカード挿入口２２に挿入されるときに、１対の突起部２５の上面により第１カードＡの下方向への動きを規制しつつ第１カードＡの挿入経路への挿入を案内することができる。
【００３５】
また、１対の突起部２５の各々には、図４及び図５に示すように、第１カードＡがカード挿入口２２に挿入されるときに第１カードＡを１対の突起部２５の各々の上面上に導く傾斜面２５ａが設けられている。このため、第１カードＡがカード挿入口２２に挿入されるときに、第１カードＡがやや下方側に挿入されたとしても、第１カードＡが傾斜面２５ａにより確実に突起部２５の上面上に導かれ、第１カードＡの挿入経路へ確実に挿入することができる。
【００３６】
更に、ガイドプレート４１の幅方向右寄り部分のカード挿入方向手前側端部には、図５に示すように、第２カードＢがカード挿入口２２に挿入されるときに第２カードＢをガイドプレート４１の下側へ導く傾斜部４１ｂが設けられている。このため、第２カードＢがやや上方側に挿入されたとしても、第２カードＢが傾斜部４１ｂによりガイドプレート４１の下側へ導かれ、第２カードＢの挿入経路へ確実に挿入される。
【００３７】
また、カードエジェクト機構５０は、いわゆるプッシュプッシュ機構であり、第１カードＡ及び第２カードＢの挿入状態を保持すると共に、挿入された第１カードＡ及び第２カードＢの排出を行うためのものであって、図３乃至図６に示すように、ハウジング２０の左側壁２０ｂに沿ってカード挿入及び排出方向に摺動可能なスライダ５１と、スライダ５１をカード排出方向に付勢する圧縮ばね５２と、スライダ５１に一端が取り付けられたカムピン５３と、カムピン５３の他端が係合するハウジング２０に設けられたカム溝５４とで構成されている。
【００３８】
更に、金属シェル６０は、金属板を打ち抜き及び曲げ加工することによって形成されるものであり、図３、図４（Ｂ）、図５（Ｂ）及び図６に示すように、ハウジング２０上を覆うようにハウジング２０に取付けられるようになっている。金属シェル６０は、図３に示すように、ハウジング２０上を覆う平板部の両縁を下方に折り曲げてなる左右側板６２，６３を備えている。左側板６２には、ハウジング２０の左側壁２０ｂに設けられた複数の係止突起２４に係止される複数の係止孔６４が設けられている。また、右側板６３にも、ハウジング２０の右側壁２０ｃに設けられた複数の係止突起（図示せず）に係止される複数の係止孔６４が設けられている。更に、金属シェル６０の平板部の幅方向略中央部には、図６に示すように、ガイドプレート４１のカード挿入方向奥側を下方向に向けて押圧し、ガイドプレート４１のカード挿入方向手前側を上方位置に位置させる、カード挿入方向手前側からカード挿入方向奥側に向けて延びる片持ち梁状のばね片（押圧部材）６１が設けられている。また、金属シェル６０は、カードコネクタ１００を回路基板（図示せず）上に実装したときには、回路基板上の接地パターンに接続されるようになっている。これにより、金属シェル６０がシールド体としての効果を有することに加えて、金属シェル６０に設けられたばね片６１が第１カードＡあるいは第２カードＢに接する場合にこれらカードを接地電位に保つことができる。
【００３９】
このように構成されたカードコネクタ１００において、先ず、第１カードＡを使用する場合について、図７乃至図１１を参照して具体的に説明する。図７は、第１カードを挿入しガイドスプリングが変位を開始した時点のカードコネクタを示し、（Ａ）は平面図、（Ｂ）は側面図である。図８は、ガイドスプリングが変位を完了した時点のカードコネクタを示し、（Ａ）は平面図、（Ｂ）は側面図である。図９は、第１カードがスライダに当接する直前まで挿入された状態のカードコネクタを示し、（Ａ）は平面図、（Ｂ）は側面図である。図１０は、第１カードが最も奥の位置まで挿入された状態のカードコネクタを示し、（Ａ）は平面図、（Ｂ）は側面図である。図１１は、第１カードが保持された状態のカードコネクタを示し、（Ａ）は平面図、（Ｂ）は側面図である。ここで、図７（Ａ）、図８（Ａ）、図９（Ａ）、図１０（Ａ）及び図１１（Ａ）における平面図においては、カード等の一部は透視されている。また、図７（Ｂ）、図８（Ｂ）、図９（Ｂ）、図１０（Ｂ）及び図１１（Ｂ）における側面図においては、カードの断面が表されている。
【００４０】
図６に示す状態にあるカードコネクタ１００のカード挿入口２２に第１カードＡが挿入されると、先ず、図７に示すように、第１カードＡがばね片６１を押し上げてばね片６１によるガイドプレート４１のカード挿入方向奥側の下方向への押圧状態を解除する。そして、第１カードＡの幅方向側縁がガイドスプリング４２の湾曲部４２ｂに接触してガイドスプリング４２の外方向への変位が開始する。
【００４１】
そして、第１カードＡの挿入を続行すると、図８に示すように、ガイドスプリング４２の外方向への変位、即ち、ガイドスプリング４２の延出部４２ｃ及び押圧部４２ｄの外方向への変位が完了する。このとき、ガイドスプリング４２の押圧部４２ｄがガイドプレート４１の右側縁に形成された隆起部４１ｃの傾斜面上を摺動しつつ隆起部４１ｃ上に乗り上げ、これによりガイドプレート４１のカード挿入方向手前側が下方向に付勢されてガイドプレート４１のカード挿入方向手前側が下方位置まで下げられる。これにより、第１カードＡの挿入経路がガイドプレート４１の上側に形成される。
【００４２】
そして、第１カードＡの挿入を更に続行すると、図９に示すように、第１カードＡはガイドプレート４１の上側に形成された第１カードＡ用の挿入経路を進行し、第１カードＡの先端がカードエジェクト機構５０のスライダ５１に当接する直前まで進行する。図９に示す状態では、第１カードＡの下面に設けられた導電パッドは第１コンタクト３１の接触部３１ｂに接触していない。
【００４３】
なお、第１カードＡがカード挿入口２２に挿入されるときには、１対の突起部２５の上面により第１カードＡの下方向への動きを規制しつつ第１カードＡの挿入経路への挿入を案内することができる。また、第１カードＡがカード挿入口２２に挿入されるときに、第１カードＡがやや下方側に挿入されたとしても、第１カードＡが傾斜面２５ａにより確実に突起部２５の上面上に導かれ、第１カードＡの挿入経路へ確実に挿入することができる。
更に、第１カードＡの挿入を続行すると、第１カードＡの先端がスライダ５１に当接し、図１０に示すように、圧縮ばね５２が圧縮されて第１カードＡはスライダ５１とともに最も奥の位置まで挿入される。このとき、第１カードＡの下面に設けられた導電パッドは第１コンタクト３１の接触部３１ｂに接触する。
【００４４】
そして、第１カードＡの挿入をやめると、図１１に示すように、圧縮ばね５２の作用によりスライダ５１とともに第１カードＡがやや手前側に戻され、スライダ５１に設けられたカムピン５３がカム溝５４の所定位置にロックされる。これにより、第１カードＡがカードコネクタ１に保持される。このとき、第１カードＡの下面に設けられた導電パッドは第１コンタクト３１の接触部３１ｂに接触しており、第１カードＡと回路基板とが電気的に導通し、この状態で使用される。
そして、第１カードＡを再度押圧して第１カードＡとともにスライダ５１を奥側に移動させてカムピン５３のロック状態を解除すると、圧縮ばね５２の作用によりスライダ５１とともに第１カードＡが手前側に移動させられる。これにより、第１カードＡを排出することができる。
【００４５】
次に、カードコネクタ１００において、第２カードＢを使用する場合について、図１２乃至図１６を参照して具体的に説明する。図１２は、第２カードＢがやや上方側に挿入され第２カードＢの先端がガイドプレート４１の手前側端の位置まで挿入された状態のカードコネクタを示し、（Ａ）は平面図、（Ｂ）は側面図である。図１３は、第２カードＢがガイドプレート４１の傾斜部４１ｂによりガイドプレート４１の下側へ導かれる状態のカードコネクタを示し、（Ａ）は平面図、（Ｂ）は側面図である。図１４は、第２カードＢがスライダ５１に当接する直前まで挿入された状態のカードコネクタを示し、（Ａ）は平面図、（Ｂ）は側面図である。図１５は、第２カードＢが最も奥の位置まで挿入された状態のカードコネクタを示し、（Ａ）は平面図、（Ｂ）は側面図である。図１６は、第２カードＢが保持された状態のカードコネクタを示し、（Ａ）は平面図、（Ｂ）は側面図である。ここで、図１２（Ａ）、図１３（Ａ）、図１４（Ａ）、図１５（Ａ）及び図１６（Ａ）における平面図においては、カード等の一部は透視されている。また、図１２（Ｂ）、図１３（Ｂ）、図１４（Ｂ）、図１５（Ｂ）及び図１６（Ｂ）における側面図においては、カードの断面が表されている。
【００４６】
図６に示す状態にあるカードコネクタ１のカード挿入口２２に第２カードＢが挿入されるときには、ばね片６１によるガイドプレート４１のカード挿入方向奥側の下方向への押圧状態は解除されない。そして、ガイドプレート４１のカード挿入方向手前側が上方位置に位置した状態で、第２カードＢ用の挿入経路がガイドプレート４１の下側に形成されて第２カードＢが第２カードＢの挿入経路に導かれる。
【００４７】
ここで、図１２及び図１３に示すように、第２カードＢがカード挿入口２２においてやや上方側に挿入されると、第２カードＢの先端がガイドプレート４１の傾斜部４１ｂによりガイドプレート４１の下側へ導かれる。この際に、第２カードＢの幅は、第１カードＡの幅よりも小さく、第２カードＢの幅方向側縁がガイドスプリング４２の湾曲部４２ｂを外方向へ押圧しない。
【００４８】
そして、第２カードＢの挿入を更に続行すると、図１４に示すように、第２カードＢはガイドプレート４１の下側に形成された第２カードＢの挿入経路を進行し、第２カードＢの先端がスライダ５１に当接する直前まで進行する。図１４に示す状態では、第２カードＢの下面に設けられた導電パッドは第２コンタクト３２の接触部３２ｂに接触していない。
【００４９】
なお、第２カードＢがカード挿入口２２に挿入されるときには、１対の突起部２５の内側面により第２カードＢの幅方向の動きを規制しつつ第２カードＢの挿入経路への案内をすることができる。
更に、第２カードＢの挿入を続行すると、第２カードＢの先端がスライダ５１に当接し、図１５に示すように、圧縮ばね５２が圧縮されて第２カードＢはスライダ５１とともに最も奥の位置まで挿入される。このとき、第２カードＢの下面に設けられた導電パッドは第２コンタクト３２の接触部３２ｂに接触する。
【００５０】
そして、第２カードＢの挿入をやめると、図１６に示すように、圧縮ばね５２の作用によりスライダ５１とともに第２カードＢがやや手前側に戻され、スライダ５１に設けられたカムピン５３がカム溝５４の所定位置にロックされる。これにより、第２カードＢがカードコネクタ１に保持される。このとき、第２カードＢの下面に設けられた導電パッドは第２コンタクト３２の接触部３２ｂに接触しており、第２カードＢと回路基板とが電気的に導通し、この状態で使用される。
そして、第２カードＢを再度押圧して第２カードＢとともにスライダ５１を奥側に移動させてカムピン５３のロック状態を解除すると、圧縮ばね５２の作用によりスライダ５１とともに第２カードＢが手前側に移動させられる。これにより、第２カードＢを排出することができる。
【００５１】
次に、本発明に係るカードコネクタの第２実施形態を図１７乃至図２４を参照して説明する。図１７は、第１カードを挿入した初期の状態のカードコネクタの第２実施形態を示し、（Ａ）は平面図、（Ｂ）は側面図である。図１８は、ガイドスプリングが変位を完了した時点のカードコネクタの第２実施形態を示し、（Ａ）は平面図、（Ｂ）は側面図である。図１９は、第１カードが最も奥の位置まで挿入された状態のカードコネクタの第２実施形態を示し、（Ａ）は平面図、（Ｂ）は側面図である。図２０は、第１カードが保持された状態のカードコネクタの第２実施形態を示し、（Ａ）は平面図、（Ｂ）は側面図である。図２１は、第２カードがやや上方側に挿入された挿入初期状態のカードコネクタの第２実施形態を示し、（Ａ）は平面図、（Ｂ）は側面図である。図２２は、第２カードが案内部材によりガイドプレートの下側へ導かれる状態のカードコネクタの第２実施形態を示し、（Ａ）は平面図、（Ｂ）は側面図である。図２３は、第２カードが最も奥の位置まで挿入された状態のカードコネクタの第２実施形態を示し、（Ａ）は平面図、（Ｂ）は側面図である。図２４は、第２カードが保持された状態のカードコネクタの第２実施形態を示し、（Ａ）は平面図、（Ｂ）は側面図である。ここで、図１７（Ａ）、図１８（Ａ）、図１９（Ａ）、図２０（Ａ）、図２１（Ａ）、図２２（Ａ）、図２３（Ａ）及び図２４（Ａ）における平面図においては、カード等の一部は透視されている。また、図１７（Ｂ）、図１８（Ｂ）、図１９（Ｂ）、図２０（Ｂ）、図２１（Ｂ）、図２２（Ｂ）、図２３（Ｂ）及び図２４（Ｂ）における側面図においては、カードの断面が表されている。
【００５２】
図１７乃至図２４に示すカードコネクタ２００は、図１乃至図１６に示すカードコネクタ１００と基本構成は同様である。
しかし、図１７乃至図２４に示すカードコネクタ２００においては、切換機構４０が、第２カードＢがカード挿入口２２に挿入されるときに第２カードＢをガイドプレート４１の下側へ導く複数（本実施形態にあっては２つ）の案内部材４３を有し、これら案内部材４３を金属シェル６０に一体的に形成した点が１乃至図１６に示すカードコネクタ１００と相違している。案内部材４３は、図１７（Ａ）に示すように、金属シェル６０の平板部の幅方向略中央部と幅方向左寄り（図１７（Ａ）においては下寄り）の部分とに設けられ、各案内部材４３は、金属シェル６０の平板部のカード挿入方向手前側端部近傍からカード挿入方向奥側に向けて延びる片持ち梁状に形成されている。そして、各案内部材４３は、傾斜部４１ｂに対してカード挿入方向手前側に位置している。
【００５３】
本実施形態においては、切換機構４０が、第２カードＢがカード挿入口２２に挿入されるときに第２カードＢをガイドプレート４１の下側へ導く案内部材４３を有するので、第２カードＢがやや上方側に挿入されたとしても、第２カードＢが案内部材４３によりガイドプレートの下側へ導かれ、第２カードＢの挿入経路へ確実に挿入することができる。
そして、案内部材４３は、ハウジング２０上を覆う金属シェル６０と一体的に形成されているので、案内部材４３を形成するための部品点数を少なくすることができる。
【００５４】
また、図１７乃至図２４に示すカードコネクタ２００においては、図１乃至図１６に示すカードコネクタ１００に対して金属シェル６０に設けられたばね片２６１の位置が異なり、図１７（Ａ）に示すように、ばね片２６１は、金属シェル６０の平板部の幅方向右寄りの部分に設けられている。
更に、図１７乃至図２４に示すカードコネクタ２００においては、図１乃至図１６に示すカードコネクタ１００と異なり、ガイドプレート４１に設けられた傾斜部４１ｂが、ガイドプレート４１の幅方向全域にわたって設けられ、この傾斜部４１ｂの一部にばね片２６１との接触を回避するための切欠４１ｄが設けられている。
【００５５】
このように構成されたカードコネクタ１において、先ず、第１カードＡを使用する場合について、図１７乃至図２０を参照して具体的に説明する。
第１カードＡが、図１７に示すように、カードコネクタ１のカード挿入口２２に挿入されると、先ず、第１カードＡが案内部材４３を押し上げ、次いで、ばね片６１を押し上げてばね片６１によるガイドプレート４１のカード挿入方向奥側の下方向への押圧状態を解除する。そして、第１カードＡの幅方向側縁がガイドスプリング４２の湾曲部４２ｂに接触してガイドスプリング４２の外方向への変位が開始する。
【００５６】
そして、第１カードＡの挿入を続行すると、図１８に示すように、ガイドスプリング４２の外方向への変位、即ち、ガイドスプリング４２の延出部４２ｃ及び押圧部４２ｄの外方向への変位が完了する。このとき、ガイドスプリング４２の押圧部４２ｄがガイドプレート４１の右側縁に形成された隆起部４１ｃの傾斜面上を摺動しつつ隆起部４１ｃ上に乗り上げ、これによりガイドプレート４１のカード挿入方向手前側が下方向に付勢されてガイドプレート４１のカード挿入方向手前側が下方位置まで下げられる。これにより、第１カードＡの挿入経路がガイドプレート４１の上側に形成される。
【００５７】
そして、第１カードＡの挿入を更に続行すると、図１９に示すように、第１カードＡはガイドプレート４１の上側に形成された第１カードＡ用の挿入経路を進行し、第１カードＡの先端がカードエジェクト機構５０のスライダ５１に当接し、圧縮ばね５２が圧縮されて第１カードＡはスライダ５１とともに最も奥の位置まで挿入される。このとき、第１カードＡの下面に設けられた導電パッドは第１コンタクト３１の接触部３１ｂに接触する。
【００５８】
なお、第１カードＡがカード挿入口２２に挿入されるときには、１対の突起部２５の上面により第１カードＡの下方向への動きを規制しつつ第１カードＡの挿入経路への挿入を案内することができる。また、第１カードＡがカード挿入口２２に挿入されるときに、第１カードＡがやや下方側に挿入されたとしても、第１カードＡが傾斜面２５ａにより確実に突起部２５の上面上に導かれ、第１カードＡの挿入経路へ確実に挿入することができる。
【００５９】
そして、第１カードＡの挿入をやめると、図２０に示すように、圧縮ばね５２の作用によりスライダ５１とともに第１カードＡがやや手前側に戻され、スライダ５１に設けられたカムピン５３がカム溝５４の所定位置にロックされる。これにより、第１カードＡがカードコネクタ１に保持される。このとき、第１カードＡの下面に設けられた導電パッドは第１コンタクト３１の接触部３１ｂに接触しており、第１カードＡと回路基板とが電気的に導通し、この状態で使用される。
そして、第１カードＡを再度押圧して第１カードＡとともにスライダ５１を奥側に移動させてカムピン５３のロック状態を解除すると、圧縮ばね５２の作用によりスライダ５１とともに第１カードＡが手前側に移動させられる。これにより、第１カードＡを排出することができる。
【００６０】
次に、カードコネクタ１において、第２カードＢを使用する場合について、図２１乃至図２４を参照して具体的に説明する。
第２カードＢが、カードコネクタ１のカード挿入口２２に挿入されるときには、ばね片６１によるガイドプレート４１のカード挿入方向奥側の下方向への押圧状態は解除されない。そして、ガイドプレート４１のカード挿入方向手前側が上方位置に位置した状態で、第２カードＢの挿入経路がガイドプレート４１の下側に形成されている。
ここで、図２１及び図２２に示すように、第２カードＢがカード挿入口２２においてやや上方側に挿入されると、第２カードＢの先端が案内部材４３によりガイドプレート４１の下側へ導かれる。この際に、第２カードＢの幅は、第１カードＡの幅よりも小さく、第２カードＢの幅方向側縁がガイドスプリング４２の湾曲部４２ｂを外方向へ押圧しない。
【００６１】
そして、第２カードＢの挿入を更に続行すると、図２３に示すように、第２カードＢはガイドプレート４１の下側に形成された第２カードＢ用の挿入経路を進行し、第２カードＢの先端がスライダ５１に当接し、圧縮ばね５２が圧縮されて第２カードＢはスライダ５１とともに最も奥の位置まで挿入される。このとき、第２カードＢの下面に設けられた導電パッドは第２コンタクト３２の接触部３２ｂに接触する。
【００６２】
なお、第２カードＢがカード挿入口２２に挿入されるときには、１対の突起部２５の内側面により第２カードＢの幅方向の動きを規制しつつ第２カードＢの挿入経路への案内をすることができる。
そして、第２カードＢの挿入をやめると、図２４に示すように、圧縮ばね５２の作用によりスライダ５１とともに第２カードＢがやや手前側に戻され、スライダ５１に設けられたカムピン５３がカム溝５４の所定位置にロックされる。これにより、第２カードＢがカードコネクタ１に保持される。このとき、第２カードＢの下面に設けられた導電パッドは第２コンタクト３２の接触部３２ｂに接触しており、第２カードＢと回路基板とが電気的に導通し、この状態で使用される。
【００６３】
そして、第２カードＢを再度押圧して第２カードＢとともにスライダ５１を奥側に移動させてカムピン５３のロック状態を解除すると、圧縮ばね５２の作用によりスライダ５１とともに第２カードＢが手前側に移動させられる。これにより、第２カードＢを排出することができる。
なお、本実施形態においては、ガイドプレート４１のカード挿入方向手前側端部の幅方向全域にわたって傾斜部４１ｂが設けられているが、傾斜部４１ｂと同一の機能を有する案内部材４３を金属シェル６０に設けているため、傾斜部４１ｂを必ずしも設けなくてもよい。
【００６４】
次に、本発明に係るカードコネクタの第３実施形態を図２５を参照して説明する。図２５は、本発明に係るカードコネクタの第３実施形態を示し、（Ａ）は第２カードを挿入する途中の状態のカードコネクタの斜視図、（Ｂ）は第１カードの挿入を完了した状態のカードコネクタの斜視図である。図２５（Ａ）においては、第２カード及び金属シェルは図示していない。また、図２５（Ｂ）においては、第１カード及び金属シェルは図示していない。
【００６５】
図２５に示すカードコネクタ３００は、図１乃至図１６に示すカードコネクタ１００と基本構成は同様である。
しかし、図２５に示すカードコネクタ３００においては、ガイドプレート４１のカード挿入方向奥側を下方向に向けて押圧し、ガイドプレート４１のカード挿入方向手前側を上方位置に位置させる押圧部材６４の押圧力が、ガイドスプリング４２の押圧部４２ｄによるガイドプレート４１に対する付勢力よりも弱くなっている点で、図１乃至図１６に示すカードコネクタ１００のばね片６１と相違している。そして、押圧部材６４は、図１乃至図１６に示すカードコネクタ１００のばね片６１と異なり、金属シェル６０とは別個に設けられた棒状のばね部材で構成され、ハウジング２０の右側壁２０ｃに固定されて一端でガイドプレート４１のカード挿入方向奥側を下方向に向けて押圧するようになっている。
【００６６】
このように構成されたカードコネクタ３００において、第１カードＡがカード挿入口２２に挿入されるときには、図２５（Ｂ）に示すように、押圧部材６４によるガイドプレート４１のカード挿入方向奥側の下方向への押圧状態を解除せずに、第１カードＡの幅方向側縁がガイドスプリング４２の湾曲部４２ｂを外方向へ押圧し、ガイドスプリング４２の延出部４２ｃ及び押圧部４２ｄが外方向に変位する。すると、ガイドスプリング４２の押圧部４２ｄがガイドプレート４１の右側縁に形成された隆起部４１ｃの傾斜面上を摺動しつつ隆起部４１ｃ上に乗り上げ、これによりガイドプレート４１のカード挿入方向手前側が下方向に付勢されてガイドプレート４１のカード挿入方向手前側が下方位置まで下げられる。押圧部材６４によるガイドプレート４１のカード挿入方向奥側の下方向への押圧状態が解除されなくても、押圧部材６４の押圧力は、ガイドスプリング４２の押圧部４２ｄによるガイドプレート４１に対する付勢力よりも弱いので、ガイドスプリング４２の押圧部４２ｄによってガイドプレート４１のカード挿入方向手前側が下方向に付勢される。これにより、第１カードＡの挿入経路がガイドプレート４１の上側に形成されて第１カードＡが第１カードＡ用の挿入経路に挿入されるようになっている。従って、押圧部材６４によるガイドプレート４１のカード挿入方向奥側の下方向への押圧状態を必ずしも解除しなくてもよい。
【００６７】
一方、第２カードＢが、カード挿入口２２に挿入されるときにも、図２５（Ａ）に示すように、押圧部材６４によるガイドプレート４１のカード挿入方向奥側の下方向への押圧状態が解除されない。そして、ガイドプレート４１のカード挿入方向手前側が上方位置に位置した状態で、第２カードＢの挿入経路がガイドプレート４１の下側に形成されて第２カードＢが第２カードＢ用の挿入経路に挿入される。第２カードＢの幅は、第１カードＡの幅よりも小さく、第２カードＢの幅方向側縁がガイドスプリング４２の湾曲部４２ｂを外方向へ押圧しない。
なお、押圧部材６４は、金属シェル６０と一体的に形成されてもよい。この場合、部品点数をより削減することができる。
【図面の簡単な説明】
【００６８】
【図１】本発明に係るカードコネクタの第１実施形態の斜視図である。
【図２】図１に示すカードコネクタの正面図である。
【図３】金属シェルをコネクタ本体と分離した状態のカードコネクタの第１実施形態の斜視図である。
【図４】第１カードを挿入する途中のカードコネクタの第１実施形態を示し、（Ａ）は斜視図、（Ｂ）は正面図である。但し、図４においては金属シェルは図示していない。
【図５】第２カードを挿入する途中のカードコネクタの第１実施形態を示し、（Ａ）は斜視図、（Ｂ）は正面図である。但し、図５においては金属シェルは図示していない。
【図６】カード未挿入状態の図１のカードコネクタを示し、（Ａ）は概略平面図、（Ｂ）は概略断面図である。
【図７】第１カードを挿入しガイドスプリングが変位を開始した時点のカードコネクタを示し、（Ａ）は平面図、（Ｂ）は側面図である。
【図８】ガイドスプリングが変位を完了した時点のカードコネクタを示し、（Ａ）は平面図、（Ｂ）は側面図である。
【図９】第１カードがスライダに当接する直前まで挿入された状態のカードコネクタを示し、（Ａ）は平面図、（Ｂ）は側面図である。
【図１０】第１カードが最も奥の位置まで挿入された状態のカードコネクタを示し、（Ａ）は平面図、（Ｂ）は側面図である。
【図１１】第１カードが保持された状態のカードコネクタを示し、（Ａ）は平面図、（Ｂ）は側面図である。
【図１２】第２カードがやや上方側に挿入され第２カードの先端がガイドプレートの手前側端の位置まで挿入された状態のカードコネクタを示し、（Ａ）は平面図、（Ｂ）は側面図である。
【図１３】第２カードがガイドプレートの傾斜部によりガイドプレートの下側へ導かれる状態のカードコネクタを示し、（Ａ）は平面図、（Ｂ）は側面図である。
【図１４】第２カードがスライダに当接する直前まで挿入された状態のカードコネクタを示し、（Ａ）は平面図、（Ｂ）は側面図である。
【図１５】第２カードが最も奥の位置まで挿入された状態のカードコネクタを示し、（Ａ）は平面図、（Ｂ）は側面図である。
【図１６】第２カードが保持された状態のカードコネクタを示し、（Ａ）は平面図、（Ｂ）は側面図である。
【図１７】第１カードを挿入した初期の状態のカードコネクタの第２実施形態を示し、（Ａ）は平面図、（Ｂ）は側面図である。
【図１８】ガイドスプリングが変位を完了した時点のカードコネクタの第２実施形態を示し、（Ａ）は平面図、（Ｂ）は側面図である。
【図１９】第１カードが最も奥の位置まで挿入された状態のカードコネクタの第２実施形態を示し、（Ａ）は平面図、（Ｂ）は側面図である。
【図２０】第１カードが保持された状態のカードコネクタの第２実施形態を示し、（Ａ）は平面図、（Ｂ）は側面図である。
【図２１】第２カードがやや上方側に挿入された挿入初期状態のカードコネクタの第２実施形態を示し、（Ａ）は平面図、（Ｂ）は側面図である。
【図２２】第２カードが案内部材によりガイドプレートの下側へ導かれる状態のカードコネクタの第２実施形態を示し、（Ａ）は平面図、（Ｂ）は側面図である。
【図２３】第２カードが最も奥の位置まで挿入された状態のカードコネクタの第２実施形態を示し、（Ａ）は平面図、（Ｂ）は側面図である。
【図２４】第２カードが保持された状態のカードコネクタの第２実施形態を示し、（Ａ）は平面図、（Ｂ）は側面図である。
【図２５】本発明に係るカードコネクタの第３実施形態を示し、（Ａ）は第２カードを挿入する途中の状態のカードコネクタの斜視図、（Ｂ）は第１カードの挿入を完了した状態のカードコネクタの斜視図である。但し、図２５（Ａ）においては、第２カード及び金属シェルは図示していない。また、図２５（Ｂ）においては、第１カード及び金属シェルは図示していない。
【図２６】従来のカードコネクタの斜視図である。
【図２７】アクチュエータが最も内側に向けて回動した内側回動状態にあると共に、シャッタ部材が前側に向けて回動し倒立した前側回動状態にある、図２６に示すカードコネクタからカバー部材を取り外した状態の斜視図である。
【図２８】アクチュエータが最も外側に向けて回動した外側回動状態にあると共に、シャッタ部材が後側に向けて回動し転倒した後側回動状態にある、図２６に示すカードコネクタからカバー部材を取り外した状態の斜視図である。
【図２９】幅及び厚さの小さい第２カードを挿入した状態にある、図２６に示すカードコネクタからカバー部材を取り外した状態の斜視図である。
【図３０】幅及び厚さの大きい第１カードを挿入した状態にある、図２６に示すカードコネクタからカバー部材を取り外した状態の斜視図である。
【符号の説明】
【００６９】
１００，２００，３００  カードコネクタ
１０  コネクタ本体
２０  ハウジング
２２  カード挿入口
２５  突起部
２５ａ  傾斜面
３１  第１コンタクト
３２  第２コンタクト
３２ｂ  接触部
４０  切換機構
４１  ガイドプレート
４１ｂ  傾斜部
４２  ガイドスプリング
４２ｄ  押圧部
４３  案内部材
６０  金属シェル
６１  ばね片（押圧部材）
６４  押圧部材
Ａ  第１カード
Ｂ  第２カード
【図１】
2007157656.tif 000003
【図２】
2007157656.tif 000004
【図３】
2007157656.tif 000005
【図４】
2007157656.tif 000006
【図５】
2007157656.tif 000007
【図６】
2007157656.tif 000008
【図７】
2007157656.tif 000009
【図８】
2007157656.tif 000010
【図９】
2007157656.tif 000011
【図１０】
2007157656.tif 000012
【図１１】
2007157656.tif 000013
【図１２】
2007157656.tif 000014
【図１３】
2007157656.tif 000015
【図１４】
2007157656.tif 000016
【図１５】
2007157656.tif 000017
【図１６】
2007157656.tif 000018
【図１７】
2007157656.tif 000019
【図１８】
2007157656.tif 000020
【図１９】
2007157656.tif 000021
【図２０】
2007157656.tif 000022
【図２１】
2007157656.tif 000023
【図２２】
2007157656.tif 000024
【図２３】
2007157656.tif 000025
【図２４】
2007157656.tif 000026
【図２５】
2007157656.tif 000027
【図２６】
2007157656.tif 000028
【図２７】
2007157656.tif 000029
【図２８】
2007157656.tif 000030
【図２９】
2007157656.tif 000031
【図３０】
2007157656.tif 000032